(57)【特許請求の範囲】
【請求項１】
自機の状態によってアンテナ共振周波数が変化する移動通信端末において、
前記自機の状態を検出するため、本体側面の少なくとも１面に設けユーザが本体を手で持ったことを検出する第１検出素子及び受話スピーカの周囲に設けユーザが受話スピーカを耳にあてたことを検出する第２検出素子と、
前記検出素子によって検出された前記自機の状態すなわち、第１および第２検出素子から検出信号が得られず、電源が入った状態で人体から離して載置された状態、第１検出素子から検出信号が得られ手に持たれた状態、第１および第２検出素子から検出信号が得られ受話スピーカが耳にあてられた状態のいずれか、に対応する判定信号を出力する判定回路と、
前記判定信号により制御されるアンテナ整合回路と
を具備したことを特徴とする移動通信端末。
【請求項２】
自機の状態によってアンテナ共振周波数が変化する移動通信端末において、
各状態に応じたアンテナ共振周波数シフトのための調整電圧データを記憶する記憶手段と、
前記自機の状態を検出するため、本体側面の少なくとも１面に設けユーザが本体を手で持ったことを検出する第１検出素子及び受話スピーカの周囲に設けユーザが受話スピーカを耳にあてたことを検出する第２検出素子と、
前記検出素子によって検出された自機の状態すなわち、第１および第２検出素子から検出信号が得られず、電源が入った状態で人体から離して載置された状態、第１検出素子から検出信号が得られ手に持たれた状態、第１および第２検出素子から検出信号が得られ受話スピーカが耳にあてられた状態のいずれか、に対応する調整電圧データを前記記憶手段から読み込み、Ｄ／Ａコンバータへ送出する制御手段と、
前記調整電圧データを制御電圧に変換し、アンテナ整合回路へ送出する前記Ｄ／Ａコンバータと、
前記制御電圧によってアンテナ共振周波数を連続的に調整する前記アンテナ整合回路と
を具備したことを特徴とする移動通信端末。
【請求項３】
使用周波数の制御を行うための制御部を有し、自機の状態によってアンテナ共振周波数が変化する移動通信端末において、
状態と使用周波数との組合せに応じたアンテナ共振周波数シフトのための調整電圧データを記憶する記憶手段と、
前記自機の状態を検出するため、本体側面の少なくとも１面に設けユーザが本体を手で持ったことを検出する第１検出素子及び受話スピーカの周囲に設けユーザが受話スピーカを耳にあてたことを検出する第２検出素子と、
前記検出素子によって検出された自機の状態すなわち、第１および第２検出素子から検出信号が得られず、電源が入った状態で人体から離して載置された状態、第１検出素子から検出信号が得られ手に持たれた状態、第１および第２検出素子から検出信号が得られ受話スピーカが耳にあてられた状態のいずれか、と前記使用周波数との組合せに対応する調整電圧データを前記記憶手段から読み込み、Ｄ／Ａコンバータへ送出する制御手段と、
前記調整電圧データを制御電圧に変換し、アンテナ整合回路に送出する前記Ｄ／Ａコンバータと、
前記制御電圧によってアンテナ共振周波数を連続的に調整するアンテナ整合回路と
を具備したことを特徴とする移動通信端末。
【請求項４】
使用周波数情報を受信するための受信部を有し、自機の状態によってアンテナ共振周波数が変化する移動通信端末において、
状態と使用周波数との組合せに応じたアンテナ共振周波数シフトのための調整電圧データを記憶する記憶手段と、
前記自機の状態を検出するため、本体側面の少なくとも１面に設けユーザが本体を手で持ったことを検出する第１検出素子及び受話スピーカの周囲に設けユーザが受話スピーカを耳にあてたことを検出する第２検出素子と、
前記検出素子によって検出された自機の状態すなわち、第１および第２検出素子から検出信号が得られず、電源が入った状態で人体から離して載置された状態、第１検出素子から検出信号が得られ手に持たれた状態、第１および第２検出素子から検出信号が得られ受話スピーカが耳にあてられた状態のいずれか、と前記使用周波数情報から導出した使用周波数との組合せに対応する調整電圧データを前記記憶手段から読み込み、Ｄ／Ａコンバータへ送出する制御手段と、
前記調整電圧データを制御電圧に変換し、アンテナ整合回路に送出する前記Ｄ／Ａコンバータと、
前記制御電圧によってアンテナ共振周波数を連続的に調整するアンテナ整合回路と
を具備したことを特徴とする移動通信端末。
【請求項５】
請求項１乃至請求項４のいずれかに記載の移動通信端末において、
前記検出素子は、タッチセンサおよび／または圧力センサであることを特徴とする移動通信端末。
【請求項６】
請求項１乃至請求項５のいずれかに記載の移動通信端末にいて、
前記本体側面に設けられた前記検出素子は、グリップとしても使用することができることを特徴とする移動通信端末。
【請求項７】
請求項１乃至請求項６のいずれかに記載の移動通信端末において、
前記受話スピーカの周囲に設けられた前記検出素子は、イヤーパッドとしても使用することができることを特徴とする移動通信端末。
【発明の詳細な説明】
【０００１】
【発明の属する技術分野】
本発明は移動通信端末に関するものであり、より具体的には、自機の状態によってアンテナ共振周波数が変化する移動通信端末（以下、端末と記す）に関する。
【０００２】
【従来の技術】
近年、端末の小型化に伴い、手や頭等の人体によるアンテナの電圧定在波比特性のずれが無視できなくなってきた。図７は従来のアンテナ整合回路の一例を示した図であり、図８は従来のアンテナの電圧定在波比特性である。
図７は従来のアンテナ整合回路であり、８０１は図示しない送受信回路へ接続している接続端子である。接続端子８０１よりコンデンサ８０７へ電流が供給され、コンデンサ８０７の有する容量と、コイル８０５のインダクタンスとで発信周波数を決定する。
【０００３】
図８の曲線ａ〜ｃは、各状態におけるアンテナの電圧定在波比特性を示しており、曲線ａは通話相手の音声を聞き取るために受話スピーカを耳にあてた状態（以下、通話中状態と記す）、曲線ｂは発着信操作及びその他のキー操作を行うために自機を手に持った状態（以下、発着信状態と記す）、曲線ｃは電源が入った状態で人体から離して載置した状態（以下、待ち受け状態と記す）のものである。
図８の横軸は周波数、縦軸はＶＳＷＲ（定在波比）を表している。ＶＳＷＲは定在波の大きさを示すもので、定在波における最大電圧と最小電圧の比をいう。これが１に近いほどアンテナの整合状態がよく、曲線ａ〜ｃのボトムのときに相当する。このときの周波数を共振周波数といい、曲線ａで１４６５ＭＨｚ、曲線ｂで１５４５ＭＨｚ、曲線ｃで１６２５ＭＨｚである。また、ＶＳＷＲが１に最も近いときの周波数から、ＶＳＷＲが２のときの周波数までを使用周波数帯域といい、通話中状態では１４２９ＭＨｚ〜１５０１ＭＨｚである。
【０００４】
【発明が解決しようとする課題】
このように、従来の移動通信端末では端末の各状態でアンテナ共振周波数が異なり、各状態全てについて最良な整合状態で使用することができなかった。
本発明はこのような従来技術の課題に鑑みて、端末の状態に応じて最良な整合状態で使用できる移動通信端末を提供することを目的とする。
【０００５】
【課題を解決するための手段】
本発明は上述の課題を解決するために、自機の状態を検出するため、本体側面の少なくとも１面に設けユーザが本体を手で持ったことを検出する第１検出素子及び受話スピーカの周囲に設けユーザが受話スピーカを耳にあてたことを検出する第２検出素子と、検出素子によって検出された自機の状態すなわち、第１および第２検出素子から検出信号が得られず、電源が入った状態で人体から離して載置された状態、第１検出素子から検出信号が得られ手に持たれた状態、第１および第２検出素子から検出信号が得られ受話スピーカが耳にあてられた状態のいずれか、に対応する判定信号を出力する判定回路と、判定信号により制御されるアンテナ整合回路とを具備したことを特徴とする移動通信端末を提案する。
さらに、本発明は、各状態に応じたアンテナ共振周波数シフトのための調整電圧データを記憶する記憶手段と、自機の状態を検出するため、本体側面の少なくとも１面に設けユーザが本体を手で持ったことを検出する第１検出素子及び受話スピーカの周囲に設けユーザが受話スピーカを耳にあてたことを検出する第２検出素子と、検出素子によって検出された自機の状態すなわち、第１および第２検出素子から検出信号が得られず、電源が入った状態で人体から離して載置された状態、第１検出素子から検出信号が得られ手に持たれた状態、第１および第２検出素子から検出信号が得られ受話スピーカが耳にあてられた状態のいずれか、に対応する調整電圧データを前記記憶手段から読み込み、Ｄ／Ａコンバータへ送出する制御手段と、調整電圧データを制御電圧に変換し、アンテナ整合回路へ送出するＤ／Ａコンバータと、制御電圧によってアンテナ共振周波数を連続的に調整するアンテナ整合回路とを具備したことを特徴とする移動通信端末を提案する。
【０００６】
さらに、本発明は、状態と使用周波数との組合せに応じたアンテナ共振周波数シフトのための調整電圧データを記憶する記憶手段と、自機の状態を検出するため、本体側面の少なくとも１面に設けユーザが本体を手で持ったことを検出する第１検出素子及び受話スピーカの周囲に設けユーザが受話スピーカを耳にあてたことを検出する第２検出素子と、検出素子によって検出された自機の状態すなわち、第１および第２検出素子から検出信号が得られず、電源が入った状態で人体から離して載置された状態、第１検出素子から検出信号が得られ手に持たれた状態、第１および第２検出素子から検出信号が得られ受話スピーカが耳にあてられた状態のいずれか、と使用周波数との組合せに対応する調整電圧データを記憶手段から読み込み、Ｄ／Ａコンバータへ送出する制御手段と、調整電圧データを制御電圧に変換し、アンテナ整合回路に送出するＤ／Ａコンバータと、制御電圧によってアンテナ共振周波数を連続的に調整するアンテナ整合回路とを具備したことを特徴とする移動通信端末を提案する。
【０００７】
さらに、本発明は、状態と使用周波数との組合せに応じたアンテナ共振周波数シフトのための調整電圧データを記憶する記憶手段と、自機の状態を検出するため、本体側面の少なくとも１面に設けユーザが本体を手で持ったことを検出する第１検出素子及び受話スピーカの周囲に設けユーザが受話スピーカを耳にあてたことを検出する第２検出素子と、検出素子によって検出された自機の状態すなわち、第１および第２検出素子から検出信号が得られず、電源が入った状態で人体から離して載置された状態、第１検出素子から検出信号が得られ手に持たれた状態、第１および第２検出素子から検出信号が得られ受話スピーカが耳にあてられた状態のいずれか、と使用周波数情報から導出した使用周波数との組合せに対応する調整電圧データを記憶手段から読み込み、Ｄ／Ａコンバータへ送出する制御手段と、調整電圧データを制御電圧に変換し、アンテナ整合回路に送出するＤ／Ａコンバータと、制御電圧によってアンテナ共振周波数を連続的に調整するアンテナ整合回路とを具備したことを特徴とする移動通信端末を提案する。
【０００８】
なお、本発明において、検出素子はタッチセンサおよび／または圧力センサである。
また、本体側面に設けられた検出素子はグリップとしても使用することができ、受話スピーカの周囲に設けられた検出素子はイヤーパッドとしても使用することができる。
【０００９】
【発明の実施の形態】
次に、図１〜６を参照して本発明による移動体通信端末の実施の形態を詳細に説明する。図１及び図３は本発明による移動通信端末の機能ブロック図、図２及び図４は本発明を適用したアンテナ整合回路の一例である。また、図５は本発明による移動通信端末の外観図であり、図６は本発明による移動通信端末のアンテナの電圧定在波比特性である。
【００１０】
まず、図１及び図２を用いて本発明の第１の実施の形態を説明する。図１は、本発明による移動通信端末の機能ブロック図の一部であり、スピーカ穴付近タッチセンサ１０１、側面付近タッチセンサ１０３、判定回路１０５、アンテナ１０７、アンテナ整合回路１０９に加え、判定信号経路１１１を具備している。スピーカ穴付近タッチセンサ１０１は、受話スピーカの周囲に設けられており、端末ユーザが受話スピーカを耳にあてたことを検出する。側面付近タッチセンサ１０３は、本体側面の少なくとも１面に設けられており、端末ユーザが本体を手で持ったことを検出する。
【００１１】
判定回路１０５は、スピーカ穴付近タッチセンサ１０１及び／または側面付近タッチセンサ１０３から送出される検出信号を受け取って端末の状態を判定する。このときの判定基準は、例えば、以下のようになる。
１．センサからの検出信号が無い場合（待ち受け状態）
２．センサ１０３のみから検出信号がきた場合（発着信状態）
３．センサ１０１及び１０３から検出信号がきた場合（通話中状態）
そして、上記のような基準にしたがって判定された端末の状態を表す判定信号を判定信号経路１１１を介して送出する。アンテナ整合回路１０９は、判定回路１０５から判定信号経路１１１のいずれかを介して送出した判定信号を用いてアンテナ共振周波数を調整する。アンテナ１０７はアンテナ整合回路１０９によって共振周波数調整された電波を用いて、音声信号やデータ信号または制御信号等を送受信する。
【００１２】
次に、図２を用いてアンテナ整合回路１０９の詳細な説明をする。２０１は図示しない送受信回路へ接続している接続端子であり、２０３は図１の判定信号経路１１１に接続する判定信号入力端子である。判定信号入力端子２０３は状態の数だけあり（図２では３つ）判定信号を受け取るのは自機の状態に対応する１つのみである。
判定信号は判定信号入力端子２０３から抵抗２０９を介してダイオード２０５にバイアス電流を供給し、これによりダイオード２０５は高周波的にグランドと導通される。したがって、ダイオード２０５と接続しているコンデンサ２０７の一端がグランドに接続された状態となり、判定信号を受け取った判定信号入力端子２０３のコンデンサ２０７が選択される。これによりアンテナ共振周波数を変化させることができ、コンデンサ２０７の容量は使用周波数帯の中心で最良となるように決められる。
【００１３】
次に、図３及び図４を用いて本発明の第２の実施の形態を説明する。図３は、本発明による移動通信端末の機能ブロック図の一部であり、スピーカ穴付近タッチセンサ３０１、側面付近タッチセンサ３０３、ＣＰＵ３０５、アンテナ３０７、アンテナ整合回路３０９、Ｄ／Ａコンバータ３１１、ＲＯＭ３１３、及びＰＬＬ回路３１５を具備している。スピーカ穴付近タッチセンサ３０１は、受話スピーカの周囲に設けられており、端末ユーザが受話スピーカを耳にあてたことを検出する。側面付近タッチセンサ３０３は、本体側面の少なくとも１面に設けられており、端末ユーザが本体を手で持ったことを検出する。ＲＯＭ３１３には各状態と使用周波数との組合せに応じたアンテナ共振周波数シフトのための調整電圧データ及び各プラグラム等が記憶されており、ＲＡＭ３１７はワーキングエリアとして利用される。
【００１４】
ＣＰＵ３０５は、スピーカ穴付近タッチセンサ３０１及び／または側面付近タッチセンサ３０３から送出される検出信号を受け取って端末の状態を判定する。このときの判定基準は、例えば、以下のようになる。
１．センサからの検出信号が無い場合（待ち受け状態）
２．センサ３０３のみから検出信号がきた場合（発着信状態）
３．センサ３０１及び３０３から検出信号がきた場合（通話中状態）
ここで、ＣＰＵ３０５がＰＬＬ回路３１５に対して周波数制御を行い、使用周波数を管理している場合には、現在の使用周波数と上記のような基準にしたがって判定された端末の状態との組合せに基づいて、該当するアンテナ共振周波数シフトのための調整電圧データをＲＯＭ３１３の中から読み込み、Ｄ／Ａコンバータ３１１へ送出することができる。
【００１５】
一方、ＣＰＵ３０５が外部（基地局等）から周波数情報を受信し、ＰＬＬ回路３１５に対して周波数制御を行っている場合にも、現在の使用周波数と上記のような基準にしたがって判定された端末の状態との組合せに基づいて、該当するアンテナ共振周波数シフトのための調整電圧データをＲＯＭ３１３の中から読み込み、Ｄ／Ａコンバータ３１１へ送出することができる。
Ｄ／Ａコンバータ３１１ではこのデータを制御電圧に変換し、制御信号としてアンテナ整合回路３０９へ送出する。アンテナ整合回路３０９は、Ｄ／Ａコンバータ３１１から受け取った制御信号を用いてアンテナ共振周波数を調整する。アンテナ３０７はアンテナ整合回路３０９によって共振周波数調整された電波を用いて、音声信号やデータ信号または制御信号等を送受信する。
【００１６】
次に、図４を用いてアンテナ整合回路３０９の詳細な説明をする。４０１は図示しない送受信回路へ接続している接続端子であり、４０３は図３のＤ／Ａコンバータ３１１に接続する制御信号入力端子である。制御信号入力端子４０３からの制御信号（制御電圧）は、抵抗４０９を介して可変容量ダイオード４０７の容量を制御する。これによりアンテナ共振周波数を変化させることができ、使用周波数帯の中心で最良となるように可変容量ダイオード４０７の容量を決める。
【００１７】
図５を用いて、本発明による移動通信端末の説明をする。アンテナ５０１は、本発明によるアンテナ整合回路によって共振周波数調整された電波を用いて、音声信号やデータ信号または制御信号等を送受信する。ＬＣＤ表示部５０７はテンキー５０９及び機能キー５１３から入力された英数字／文字のほか、時刻情報及び発信者番号などを表示する。さらに、マイク穴５１１は通話時に音声を入力するためのものである。側面付近タッチセンサ５０３は、本体側面の少なくとも１面に設けられており、端末ユーザが本体を手で持ったことを検出する。スピーカ穴付近タッチセンサ５０５は、受話スピーカの周囲に設けられており、端末ユーザが受話スピーカを耳にあてたことを検出する。
【００１８】
図６（ａ）において、曲線ｂは従来の移動通信端末における発着信状態時のアンテナの電圧定在波特性であり、曲線ｂ´は本発明の移動通信端末における発着信状態時のアンテナの電圧定在波特性である。なお、横軸は周波数、縦軸はＶＳＷＲ（定在波比）を表している。本発明による移動通信端末では、前述したアンテナ整合回路を用いることにより、アンテナ共振周波数を矢印の示す方向に予め決められた分だけシフトし、使用周波数帯域を通話中状態と同じ１４２９ＭＨｚ〜１５０１ＭＨｚに調整することができる。
【００１９】
図６（ｂ）において、曲線ｃは従来の移動通信端末における待ち受け状態時のアンテナの電圧定在波特性であり、曲線ｃ´は本発明の移動通信端末における待ち受け状態時のアンテナの電圧定在波比特性である。なお、横軸は周波数、縦軸はＶＳＷＲ（定在波比）を表している。図６（ａ）同様、前述したアンテナ整合回路を用いることにより、アンテナ共振周波数を矢印の示す方向に予め決められた分だけシフトし、使用周波数帯域を通話中状態と同じ１４２９ＭＨｚ〜１５０１ＭＨｚに調整することができる。
このように、端末の状態に合わせてアンテナ共振周波数をシフトし、使用周波数帯域を通話中状態と同じ１４２９ＭＨｚ〜１５０１ＭＨｚに合わせることでアンテナを常に最良の整合状態で使用することができる。
【００２０】
以上、本発明の実施の形態を記したが、本発明は図１〜６を用いて説明した実施の形態に限定されず、例えば、検出素子（センサ等）によって検出された端末の状態に基づいて該当する調整電圧データを読み込み、制御電圧に変換することも可能である。
【００２１】
【発明の効果】
このように本発明によれば、端末の状態に応じて最良な整合状態で使用できる移動通信端末を提供することが可能である。
【図面の簡単な説明】
【図１】本発明の第１の実施の形態である移動通信端末の機能ブロック図。
【図２】本発明の第１の実施の形態であるアンテナ整合回路の図。
【図３】本発明の第２の実施の形態である移動通信端末の機能ブロック図。
【図４】本発明の第２の実施の形態であるアンテナ整合回路の図。
【図５】本発明の移動通信端末の外観図。
【図６】アンテナの電圧定在波比特性を表す図。
【図７】従来のアンテナ整合回路の図。
【図８】アンテナの電圧定在波比特性を表す図。
【符号の説明】
１０１，３０１，５０５    スピーカ穴付近タッチセンサ
１０３，３０３，５０３    側面付近タッチセンサ
１０５    判定回路
１０９，３０９    アンテナ整合回路
３０５    ＣＰＵ
３１３    ＲＯＭ
３１７    ＲＡＭ
【図１】
0003618621.tif 000002
【図２】
0003618621.tif 000003
【図３】
0003618621.tif 000004
【図４】
0003618621.tif 000005
【図５】
0003618621.tif 000006
【図６】
0003618621.tif 000007
【図７】
0003618621.tif 000008
【図８】
0003618621.tif 000009